(57)【要約】【課題】ＴＰＭを管理する改良されたシステムおよび方法を提供する。【解決手段】１つまたは複数の技術的性能測定値パラメータを管理する方法が提供される。この方法は、１つまたは複数の技術的性能測定値パラメータを画定するステップと、１つまたは複数の技術的性能測定値パラメータの１つまたは複数の実現された機能および１つまたは複数の予想される機能を決定し、追跡し、傾向分析するステップと、を含む。【選択図】図１６
2008084322.tif 000002
【特許請求の範囲】
【請求項１】
１つまたは複数の技術的性能測定値パラメータを管理する方法であって、
前記１つまたは複数の技術的性能測定値パラメータを画定するステップと、
前記１つまたは複数の技術的性能測定値パラメータの、１つまたは複数の実現された機能および１つまたは複数の予想される機能を決定し、追跡し、傾向分析するステップと、
を含む方法。
【請求項２】
１つまたは複数の識別リスク項目を識別するために、前記１つまたは複数の実現された機能および前記１つまたは複数の予想される機能に基づいて、リスクを査定するステップをさらに含むことを特徴とする請求項１に記載の方法。
【請求項３】
前記１つまたは複数の技術的性能測定値パラメータについて技術的性能測定値集計の報告書を生成するステップをさらに含むことを特徴とする請求項１に記載の方法。
【請求項４】
前記１つまたは複数の技術的性能測定値パラメータをデータ保存ドライブに格納するステップをさらに含むことを特徴とする請求項１に記載の方法。
【請求項５】
前記決定し、追跡し、傾向分析するステップが、１つまたは複数の上位レベルの技術的性能測定値パラメータの、１つまたは複数の下位レベルの技術的性能測定値パラメータに対する依存性を画定するステップを含むことを特徴とする請求項１に記載の方法。
【請求項６】
前記１つまたは複数の上位レベルの技術的性能測定値パラメータおよび前記１つまたは複数の下位レベルの技術的性能測定値パラメータが、技術的性能測定値パラメータツリーを形成することを特徴とする請求項５に記載の方法。
【請求項７】
前記決定し、追跡し、傾向分析するステップが、前記１つまたは複数の技術的性能測定値パラメータの１つまたは複数についてキーマイルストーンを入力し、格納するステップと、前記１つまたは複数の技術的性能測定値パラメータに関して前記１つまたは複数のキーマイルストーンを監視するステップと、を含むことを特徴とする請求項１に記載の方法。
【請求項８】
前記決定し、追跡し、傾向分析するステップが、前記１つまたは複数の技術的性能測定値パラメータの１つまたは複数について技術性能要件を確立し、格納するステップと、前記１つまたは複数の技術的性能測定値パラメータに関して前記技術性能要件を監視するステップと、を含むことを特徴とする請求項１に記載の方法。
【請求項９】
前記決定し、追跡し、傾向分析するステップが、前記１つまたは複数の技術的性能測定値パラメータを作業分割構成に関連付けるステップを含むことを特徴とする請求項１に記載の方法。
【請求項１０】
前記決定し、追跡し、傾向分析するステップが、マージンを前記技術性能パラメータに適用するステップを含むことを特徴とする請求項１に記載の方法。
【請求項１１】
前記決定し、追跡し、傾向分析するステップが、技術的性能測定値パラメータ値目盛、現時点実現済みトレンドライン、時間線、要件値、開発マージンを有する要件、現時点実現済み公称値、１つまたは複数の現時点実現済み不確定値、時間線目盛、１つまたは複数のキープログラムマイルストーン、１つまたは複数の現在の推定公称値、１つまたは複数の現在の推定不確定値、これらの任意の組合せから成る群から選択された値を有する技術性能プロットを生成するステップを含むことを特徴とする請求項１に記載の方法。
【請求項１２】
前記決定し、追跡し、傾向分析するステップが、複数の作業分割構成グループに基づいて、前記１つまたは複数の技術的性能測定値パラメータを検索するステップを含むことを特徴とする請求項１に記載の方法。
【請求項１３】
技術的性能測定値管理システムであって、
ユーザインタフェイスを有する制御処理ユニットを含み、該制御処理ユニットが、１つまたは複数の技術的性能測定値パラメータを画定し、該１つまたは複数の技術的性能測定値パラメータの、１つまたは複数の実現された機能および１つまたは複数の予想される機能を決定し、追跡し、傾向分析する技術的性能測定値管理システム。
【請求項１４】
前記制御プロセッサが、１つまたは複数の識別リスク項目を識別するために、前記１つまたは複数の実現された機能および前記１つまたは複数の予想される機能に基づいて、リスクを査定することを特徴とする請求項１３に記載のシステム。
【請求項１５】
前記制御プロセッサが、前記１つまたは複数の技術的性能測定値パラメータについて技術的性能測定値集計の報告書を生成することを特徴とする請求項１３に記載のシステム。
【請求項１６】
前記１つまたは複数の技術的性能測定値パラメータをデータ保存ドライブに格納するデータ保存ドライブをさらに含むことを特徴とする請求項１３に記載のシステム。
【請求項１７】
１つまたは複数の技術的性能測定値を管理するコンピュータ可読プログラム命令を含む製品に組み込まれるコンピュータ可読プログラムであって、
１つまたは複数の技術的性能測定値パラメータをコンピュータに画定させるプログラム命令と、
前記１つまたは複数の技術的性能測定値パラメータの、１つまたは複数の実現された機能および１つまたは複数の予想される機能を前記コンピュータに決定させ、追跡させ、傾向分析させるプログラム命令と、
を含むプログラム。
【請求項１８】
１つまたは複数の識別リスク項目を識別するために、前記１つまたは複数の実現された機能および前記１つまたは複数の予想される機能に基づいて、前記コンピュータにリスクを査定させるプログラム命令をさらに含むことを特徴とする請求項１７に記載のプログラム。
【請求項１９】
前記１つまたは複数の技術的性能測定値パラメータについて技術的性能測定値集計の報告書を生成するプログラム命令をさらに含むことを特徴とする請求項１７に記載のプログラム。
【請求項２０】
添付の図面の図１〜図１３の任意の１つを参照して本明細書で上述された１つまたは複数の技術的性能測定値を管理するシステム、プロセス、または方法。
【発明の詳細な説明】
【技術分野】
【０００１】
本発明は、一般にデータの管理に関し、より詳細には、製品および製品性能測定基準データ（ｐｒｏｄｕｃｔ  ｐｅｒｆｏｒｍａｎｃｅ  ｍｅｔｒｉｃｓ  ｄａｔａ）を管理するシステムおよび方法に関する。
【背景技術】
【０００２】
技術的性能測定値（ＴＰＭ）は、一般に、システム、サブシステム、構成要素のレベルでの製品やプログラムのための相関する測定基準の複雑なネットワークである。測定基準は、特性の尺度である。測定基準は、コスト、重量、寿命、製品の他の任意の性能など、技術性能に関連する、製品に対する特性の尺度とすることができる。ＴＰＭは、通常、プログラムの開始より前に識別され、開発されるが、研究、製品開発や製品生産プログラムの過程中にも開発され得る。ＴＰＭは、通常、本質的に数が多く、一般に、異なる人々によって維持されるが、通常、１人の人が、報告の目的で、ＴＰＭデータをロールアップし、統合する責任を負う。元来、ＴＰＭを管理し、追跡することは、通常、詳細な追跡チャートおよび高度な組織的構造を必要とするが、現在使用可能な方法は、ＴＰＭ性能に関する履歴報告書および経過報告書を一貫して作成し、提供するのに必要な構造の、およびグラフィカルな制約を欠く。
【発明の開示】
【発明が解決しようとする課題】
【０００３】
したがって、ＴＰＭを管理する改良されたシステムおよび方法が必要である。さらに、ＴＰＭのリアルタイムの管理、追跡、報告を可能にする技術的性能測定値管理データベースが必要である。
【課題を解決するための手段】
【０００４】
１つまたは複数の技術的性能測定値パラメータを管理する方法が提供される。この方法は、１つまたは複数の技術的性能測定値パラメータを画定するステップと、１つまたは複数の技術的性能測定値パラメータの、１つまたは複数の実現された機能および１つまたは複数の予想される機能を決定し、追跡し、傾向分析する（ｔｒｅｎｄｉｎｇ）ステップと、を含む。
【０００５】
技術的性能測定値管理システムも提供される。このシステムは、ユーザインタフェイスを有する制御処理ユニットを含む。この制御処理ユニットは、１つまたは複数の技術的性能測定値パラメータを画定し、１つまたは複数の技術的性能測定値パラメータの、１つまたは複数の実現された機能および１つまたは複数の予想される機能を決定し、追跡し、傾向分析する。
【０００６】
１つまたは複数の技術的性能測定値を管理するコンピュータ可読プログラム命令を含む製品に組み込まれるコンピュータ可読プログラムがさらに提供される。このプログラムは、１つまたは複数の技術的性能測定値パラメータをコンピュータに画定させるプログラム命令と、１つまたは複数の技術的性能測定値パラメータの、１つまたは複数の実現された機能および１つまたは複数の予想される機能をコンピュータに決定させ、追跡させ、傾向分析させるプログラム命令と、を含む。
【０００７】
この方法は、１つまたは複数の識別リスク項目を識別するために、１つまたは複数の実現された機能および１つまたは複数の予想される機能に基づいて、リスクを査定するステップをさらに含み得る。この方法は、１つまたは複数の技術的性能測定値パラメータについて技術的性能測定値集計の報告書を生成するステップをさらに含み得る。この方法は、１つまたは複数の技術的性能測定値パラメータをデータ保存ドライブに格納するステップをさらに含み得る。決定し、追跡し、傾向分析するステップは、１つまたは複数の上位レベルの技術的性能測定値パラメータの、１つまたは複数の下位レベルの技術的性能測定値パラメータに対する依存性を画定するステップを含み得る。１つまたは複数の上位レベルの技術的性能測定値パラメータおよび１つまたは複数の下位レベルの技術的性能測定値パラメータは、技術的性能測定値パラメータツリーを形成し得る。決定し、追跡し、傾向分析するステップは、１つまたは複数の技術的性能測定値パラメータの１つまたは複数についてキーマイルストーンを入力し、格納するステップと、１つまたは複数の技術的性能測定値パラメータに関して１つまたは複数のキーマイルストーンを監視するステップと、を含み得る。決定し、追跡し、傾向分析するステップは、１つまたは複数の技術的性能測定値パラメータの１つまたは複数について技術性能要件を確立し、格納するステップと、１つまたは複数の技術的性能測定値パラメータに関して技術性能要件を監視するステップと、を含み得る。決定し、追跡し、傾向分析するステップは、１つまたは複数の技術的性能測定値パラメータを作業分割構成に関連付けるステップを含み得る。決定し、追跡し、傾向分析するステップは、マージンを技術性能パラメータに適用するステップを含み得る。決定し、追跡し、傾向分析するステップは、技術的性能測定値パラメータ値目盛、現時点実現済みトレンドライン、時間線、要件値、開発マージンを有する要件、現時点実現済み公称値、１つまたは複数の現時点実現済み不確定値、時間線目盛、１つまたは複数のキープログラムマイルストーン、１つまたは複数の現在の推定公称値、１つまたは複数の現在の推定不確定値、これらの任意の組合せから成る群から選択された値を有する技術性能プロットを生成するステップを含み得る。決定し、追跡し、傾向分析するステップは、複数の作業分割構成グループに基づいて、１つまたは複数の技術的性能測定値パラメータを検索するステップを含み得る。
【０００８】
制御プロセッサは、１つまたは複数の識別リスク項目を識別するために、１つまたは複数の実現された機能および１つまたは複数の予想される機能に基づいて、リスクを査定し得る。制御プロセッサは、１つまたは複数の技術的性能測定値パラメータについて技術的性能測定値集計の報告書を生成し得る。このシステムは、１つまたは複数の技術的性能測定値パラメータをデータ保存ドライブに格納するデータ保存ドライブをさらに含み得る。
【０００９】
このプログラムは、１つまたは複数の識別リスク項目を識別するために、１つまたは複数の実現された機能および１つまたは複数の予想される機能に基づいて、コンピュータにリスクを査定させるプログラム命令をさらに含み得る。このプログラムは、１つまたは複数の技術的性能測定値パラメータについて技術的性能測定値集計の報告書を生成するプログラム命令をさらに含み得る。
【発明を実施するための最良の形態】
【００１０】
本発明の技術的性能測定値管理プロセス（ＴＰＭＭＰ）は、例えば、プログラム性能測定基準などのデータを編成し、格納し、図示するシステムおよび方法である。ＴＰＭＭＰは、プログラム性能測定基準（すなわち、技術的性能測定値パラメータ）のリスクベースの査定および監視のための新規な手法かつ頑強なビジネスソリューションである。ＴＰＭＭＰは、所定の要件および所定の許容可能なリスクレベルの遵守を維持するために、プログラムの中核の要件に関して製品や製品属性の実現された機能および予想される機能を連続的に監視する方法およびツールの基礎を提供する。
【００１１】
ＴＰＭＭＰは、新規かつ独特の機能をいくつか提供する。ＴＰＭＭＰは、技術性能測定（ＴＰＭ）パラメータを捕捉し、格納し、ＴＰＭパラメータの正確な確立、追跡、および傾向分析を確実化することができる。ＴＰＭパラメータは、１つまたは複数のプログラム性能測定基準である。ＴＰＭパラメータは、製品が要件に一致していることのキーインジケータとして働く。ＴＰＭの一部の例は、安全性、信頼性、システム重量、設計寿命（ｍｉｓｓｉｏｎ  ｌｉｆｅ）、および製品コストである。ＴＰＭＭＰは、ＴＰＭ追跡プロセスの合理化を容易にする。ＴＰＭパラメータは、ＴＰＭ性能の現時点実現済み（ＡＴＤ）レベルを関連する不確定性の推定と結合し、比較する、統制のとれた手法を使用して、要件に対して査定され、追跡されてもよく、その結果、プログラム完了時の性能レベルをより正確に予測できるようになる。ＴＰＭＭＰは、実際の技術的性能に関してＴＰＭを監視するＴＰＭリスク査定手法によってリスク査定を行うことができる。特定のプログラム要件およびプログラムステータスに関する製品の個々のＴＰＭ要素の不確定性に基づいて、プログラムリスクレベルが導出されてもよい。ＴＰＭＭＰは、規則的な高忠実度のＴＰＭ報告を可能にする。連続したＴＰＭステータス査定と不確定性およびプログラム要件に関してリスクレベルを確認する機能との密結合により、プログラムリスク管理および軽減機能が従来技術の方法よりはるかに高いレベルの忠実度で実現され得る。技術的性能に対する「プログラム全体」の可視性またはアクセス可能性を提供するために、ＴＰＭ集計が、定期的に生成され、報告されてもよい。
【００１２】
ＴＰＭＭＰは、技術的性能測定値管理データベース（ＴＰＭＭＤ）に統合される。ＴＰＭＭＤは、１人または複数のユーザの入力に従って情報を格納したり、取り出したりすることができ、このアプリケーションは、柔軟であり、様々なプログラムに対するＴＰＭ管理要件、追跡要件、および傾向分析要件に対処するように調整され得る。ＴＰＭＭＤは、ＴＰＭおよびＴＰＭパラメータの高効率なリアルタイムの管理および追跡を可能にし、かつすぐに使用可能な電子ビジネスツールである。ＴＰＭＭＤは、技術的性能測定値管理（ＴＰＭＭ）のすべての側面を捕捉し、格納することができ、ＴＰＭＭロジックおよび方法を簡潔な、ユーザフレンドリーな形式でレンダリングすることができる。
【００１３】
次に図１および図１６を参照すると、参照番号１によって参照されるＴＰＭＭＰの方法のブロック図が示されている。方法１は、ステップ１Ａで示されるように、１つまたは複数の製品のＴＰＭパラメータを確立つまり画定するステップを含む。ＴＰＭパラメータは、プログラムの寿命にわたって製品が所定の要件に一致していることのインジケータである。
【００１４】
ステップ１Ｂに示されるように、ステップ１Ａで画定されたＴＰＭパラメータに関して、実現された機能および予想される機能が決定され、時間の経過につれて追跡される。ステップＣに示されるように、ステップ１Ｂで決定された機能、経時的な追跡および傾向分析、計算された不確定性に基づいて、リスクが査定される。一例として、重量は、プログラムの過程にわたって頻繁に著しく変わるＴＰＭであり、構成要素またはシステムの成長を見越して、成熟した構成の構成要素、サブシステムやシステムとして、重量の現時点実現済み（ＡＴＤ）公称値に不確定性が控えめに追加されてもよい。逆に、重量に好ましい影響を与え得る可能性があるより軽い合金の使用などの機会に関して、負の不確定性が重量の所与のＡＴＤ公称値に適用されてもよい。不確定性のＡＴＤ公称値への適用は、ＴＰＭＭＰおよびＴＰＭＭＤの両方においてオプションである。ＴＰＭＭＰおよびＴＰＭＭＤは、図１３に示されているように、ＡＴＤ公称値およびその関連の不確定性の、ＴＰＭ要件および任意の関連の要件マージンとの関係に基づくリスクの査定を可能にする。図１４は、要件に関するＴＰＭのリスクレベル定義の表を示している。次いで、ステップ１Ｅに示されるように、ステップ１Ｃで査定される識別リスク項目が、標準のリスク管理プロセス（例えば、図１５のリスクウォータフォールチャート４００など）を使用して対処され、軽減され得る。ステップ１Ｄに示されるように、追跡されるＴＰＭの履歴ステータス、現在のステータス、予想されるステータスに対するプログラム全体の可視性およびアクセス可能性を提供するために、少なくとも１つの製品についてのＴＰＭ集計が使用され、定期的に報告される。ＴＭＰリスク査定のこの方法は、効率的かつ十分に統制のとれた製品の成熟を保証し、プログラムのためのＴＰＭパラメータの所定の組に関する顧客の期待を満たす。
【００１５】
次に図２〜図１０を参照すると、ＴＰＭＭＤプログラムの様々な表示モジュールの複数のスクリーンショットが示されている。ＴＰＭＭＤプログラムは、方法１に従って製品のＴＰＭを開発し、追跡し、管理するホストコンピュータとともに使用される好適なソフトウェアの一例である。ホストコンピュータは、本明細書では、一例として制御処理ユニットとして記載されている。当然、本開示では、ホストコンピュータは、それだけには限定されないがコンピュータ、プロセッサ、マイクロコントローラ、マイクロコンピュータ、プログラム可能な論理コントローラ、特定用途向け集積回路、および他のプログラム可能な回路など、任意のプログラム可能な回路を含むことが企図されている。さらに、本開示では、ホストコンピュータは、様々なタイプの制御、例えば、集中制御、分散制御、冗長制御やリモート制御を提供する任意の数の制御装置であることが企図されている。さらに詳細に後述するように、ＴＰＭＭＤプログラムは、ＴＰＭＭＰの完全な記録を生成し、保持することができ、これによって、ユーザは、特定のＴＰＭＭＰに関してピアと電子的に通信し、極めて詳細な文書を取得して、結果として得られる製品性能記録をサポートすることができる。
【００１６】
図２は、ＴＰＭＭＤプログラムの導入モジュール２を示す。導入モジュール２は、メインメニュー１０を含む。メインメニュー１０は、セットアップデータベースボタン１２、ＴＰＭ管理ボタン１４、ＴＰＭ集計表示ボタン１６、製品査定および追跡ツールボタン１８やアプリケーションの終了ボタン１９を含む。ユーザは、ＴＰＭＭＤプログラムの別のモジュールにアクセスするために、ボタン１２，１４，１６，１８，１９の１つを選択することができる。
【００１７】
セットアップデータベースボタン１２によって、図３に示されるように、セットアップデータベーススイッチボード２０にアクセスすることができる。セットアップデータベーススイッチボード２０によって、ユーザは、チャートセットアップメニュー２２を使用することができる。チャートセットアップメニュー２２は、ＴＰＭパラメータツリー構築ボタン２４、ＴＰＭ追跡チャートセットアップボタン２６、ＴＭＰ要件設定ボタン２８、ＴＰＭ開発マージン割り当てボタン３０（オプション）やメインスイッチボードに戻るボタン３１を含み得る。ＴＰＭパラメータツリー構築ボタン２４は、ＴＰＭパラメータツリーを構築するために選択され得る。ＴＰＭ追跡チャートセットアップボタン２６は、特定のプログラム属性や要件に関するＴＰＭ追跡チャートセットアップおよび調整のために選択され得る。ＴＭＰ要件確立ボタン２８は、ＴＭＰ要件を確立するために選択され得る。ＴＰＭ開発マージン割り当てボタン３０は、ＴＰＭ開発マージンを割り当てるために、オプションで選択され得る。メインスイッチボードに戻るボタン３１は、メインメニュー１０に戻るために選択され得る。
【００１８】
ユーザは、図４に示されているように、ＴＰＭパラメータツリー構築モジュール３２にアクセスするために、ＴＰＭパラメータツリー構築ボタン２４をチャートセットアップメニュー２２から選択することができる。ユーザは、ＴＰＭパラメータツリー構築モジュール３２で、ＴＰＭパラメータを開発する。ＴＰＭツリー構築モジュール３２は、結果として上位レベルのＴＰＭパラメータの、下位レベルのＴＰＭパラメータに対する依存性を実証する構造を有するＴＰＭパラメータツリー３４が得られる「親−子」関係手法を使用し得る。ＴＰＭパラメータツリー３４は、技術的性能の上から下までの責任を保証するために、ＴＰＭの適切な割り振りも促進し得る。
【００１９】
現在のＴＰＭノードセル３６は、現在どのＴＰＭパラメータが選択されているかを識別する。ＴＰＭパラメータは、ＴＰＭパラメータツリー３４内で注目のＴＰＭパラメータ上を直接クリックすることによって選択され得る。ＴＰＭパラメータツリー３４から選択された／現在アクティブのＴＰＭパラメータが自動的に現在のＴＰＭノードセル３６に読み込まれる。その後、ＴＰＭパラメータ追加フィールド３６Ａの親ＴＰＭセル３６Ｄには、ＴＰＭパラメータツリー３４内のすべてのＴＰＭから成る親ＴＰＭドロップダウンリスト３６Ｇによりデータが読み込まれる。ＴＰＭ親−子関係は、親ＴＰＭセル３６Ｄで一度クリックし、次いで、ＴＰＭ親ツリー３４内の適切な親ＴＰＭをクリックし、その後、子ＴＰＭフィールド３６Ｊ内に所望の子ＴＰＭの要求される名称を入力することによって、親ＴＰＭドロップダウンリスト３６Ｇから１つのＴＰＭを選択することによって確立される。ＴＰＭパラメータ追加ボタン３６Ｋは、最初はグレー表示されているが、子ＴＰＭ名の入力がいったん入力されると、アクティブになる。この時点で、ＴＰＭパラメータ追加ボタン３６Ｋをクリックすることによって、新しく入力された子ＴＰＭがＴＰＭパラメータツリー３４に追加され、既存のＴＰＭとともに表示される。子ＴＰＭのその親ＴＰＭとの関係は、ＴＰＭパラメータツリー３４の構造に反映される。ＴＰＭパラメータツリー３４内のＴＰＭパラメータに、ある階層の一連の親−子関係に従って、アイコン１以上、例えば、１，２，３などが割り当てられる。親ＴＰＭセル３６Ｄ、ＴＰＭパラメータの選択セル３６Ｅ、およびＴＰＭパラメータの選択セル３６Ｆのそれぞれには、統合されたドロップダウンメニュー３６Ｇ，３６Ｈ，３６Ｉの１つまたは複数を使用することによって、任意の既存のＴＰＭパラメータにより個別にデータが読み込まれ得る。ＴＰＭパラメータ追加フィールド３６Ａは、ＴＰＭパラメータツリー３４での親−子関係の確立を容易にする。子ＴＰＭの関係パラメータは、ＴＰＭパラメータ追加フィールド３６Ａの子ＴＰＭセル３６Ｊに要求される名称を入力することによって作成される。ＴＰＭパラメータの編集フィールド３６Ｂは、所与のＴＰＭパラメータの名称の変更を可能にする。ＴＰＭパラメータの削除フィールド３６Ｃは、ＴＰＭパラメータの削除を可能にする。ＴＰＭパラメータは、例えば、それらが誤っているため、またはＴＰＭＭＰに関してもはや重要でないために削除され得る。
【００２０】
チャートセットアップナビゲーションボタン３８によって、ユーザは、例えば、チャートセットアップメニュー２２の分類に入る、後で詳細に説明される、ＴＰＭパラメータツリー構築モジュール３２およびＴＰＭ追跡チャートセットアップモジュール４０、ＴＰＭ要件確立モジュール５０、およびＴＰＭ開発マージン入力／編集モジュール６０などのモジュールをナビゲートすることができる。フッタ制御ボタン３８Ａは、フッタコンテンツ３８Ｄを変更し、フッタコンテンツ３８Ｄは、ＴＰＭＭＤのすべてのモジュールおよびフォームに、およびＴＰＭＭＤによって生成されるすべてのフォームに表示される。フッタコンテンツは、例えば、著作権データの情報を含み得る。スクリーンダンプボタン３８Ｂは、スクリーンに表示されているＴＰＭパラメータツリー構築モジュール３２の現在のビューの画像を捕捉する。捕捉された画像は、画像を受け取ることができる他のプログラムや文書に容易にインポートされ得る。スイッチボードに戻るボタン３８Ｃによって、ユーザは、ＴＰＭＭＤセットアップデータベーススイッチボード２０に戻る。フッタ制御ボタン３８Ａ、スクリーンダンプボタン３８Ｂやスイッチボードに戻るボタン３８Ｃは、ＴＰＭＭＤプログラムに含まれるすべてのモジュールに表示され得る。
【００２１】
次に図５を参照すると、ＴＰＭ追跡チャートセットアップモジュール４０のスクリーンショット例が示されている。ユーザは、ＴＰＭ追跡チャートセットアップモジュール４０にアクセスするために、ＴＰＭ追跡チャートセットアップボタン２６を選択することができる。プログラム名セル４２、開始日セル４４、および持続期間セル４６が、ＴＰＭ追跡チャートセットアップモジュール４０に含まれ得る。ユーザは、選択されたプログラム名をプログラム名セル４２に入力してもよい。特定のプログラムや製品についてのキーマイルストーンは、ユーザによってキーマイルストーン表４８に入力される。キーマイルストーンは、例えば、実現されなければならない入力されたキーマイルストーンの日付と一致するプログラムのステータスである。ユーザは、開始日セル４４内に開始日を入力し、選択されたプログラムのプログラムキーマイルストーンの持続期間セル４６に持続期間を入力することができる。ＴＰＭＭＤプログラムは、プログラムキーマイルストーンを格納し、プログラムキーマイルストーンに対して製品やプログラムを監視し得る。
【００２２】
次に図６を参照すると、ＴＰＭ要件確立モジュール５０でＴＰＭ要件が確立され、入力される。ユーザは、ＴＰＭ要件確立モジュール５０にアクセスするために、ＴＰＭ要件確立ボタン２８を選択することができる。ＴＰＭパラメータ要件フィールド５４は、ＴＰＭ要件の入力のために、３レベルの層構造を有し得る。ＴＰＭパラメータ名称は、ＴＰＭパラメータセル５４Ｂに含まれる。セル５４Ｃおよびセル５４Ｄは、それぞれ要件値および要件についての関連の単位の入力を可能にする。ＴＰＭパラメータは、互いの依存性およびＴＰＭパラメータツリー３４内での後続の階層に従って、３レベルの層構造の異なる３つのレベルに割り当てられ、レベルセル５４Ａは、ＴＰＭ階層に従ってＴＰＭのそのレベルの層構造を反映し、記録ＩＤ機能５４Ｆは、同じ層のＴＰＭの合計数とともに、選択された記録のＩＤ番号を示す。表示フィールド５２は、ＴＰＭパラメータツリー構築モジュール３２からのＴＰＭパラメータツリー３４のスクロール可能な静的表示を含む。ＷＢＳ割り当てモジュールフィールド５６は、１つまたは複数の所定の作業分割構成（ＷＢＳ）のＷＢＳに従って、１つまたは複数のＴＰＭパラメータの関連付けを可能にする。ＴＰＭパラメータ要件フィールド５４では、ユーザは、ナビゲーションツール５４Ｅを使用して、ＷＢＳの関連付けのために、例えばユーザがチェックすることができるボックス５６Ｂなど、ＴＰＭパラメータを選択する。選択されるＴＰＭパラメータは、ＷＢＳ割り当てモジュールフィールド５６の現在選択されているＴＰＭセル５６Ａに表示される。ＷＢＳの関連付けは、ＷＢＳ割り当てモジュールフィールド５６内のチェックボックス５６Ｂを選択することによって行われる。ＴＰＭ−ＷＢＳ関連付けは、後述するように、ＴＰＭ集計表８０における便利な検索機能を容易にする（例えば、ユーザは、機械設計など、特定の部門に関連付けられるＴＰＭを表示することに関心があるだけの場合もある）。ＷＢＳ割り当てモジュールフィールド５６は、特定のプログラムの必要に適合させるために、例えば、ＷＢＳの指定を追加したり編集したりするなど、ＷＢＳの指定を調整することもできる。ＴＰＭ−ＷＢＳの関連付けの調整は、ＷＢＳの指定を削除することを含む。具体的には、編集ボタンスイートは、ＷＢＳの指定の追加、編集や削除を容易にする。現在選択されているＴＰＭフィールド５６には、デフォルトでは、所定のデフォルトのＷＢＳで事前にデータが読み込まれる。
【００２３】
次に図７を参照すると、ＴＰＭ開発マージン入力／編集モジュール６０を使用して、オプションとして、マージンがＴＰＭパラメータに適用され得る。ユーザは、ＴＰＭ開発マージン入力／編集モジュール６０にアクセスするために、ＴＰＭ開発マージン割り当てボタン３０を選択することができる。マージンは、設計および開発を介して履歴上不利に傾くＴＰＭパラメータに適用され得る値であり、したがって、設計サイクルおよび製品開発サイクルの成熟を通じて時間の経過につれて調整される。マージンを必要とするＴＰＭパラメータは、ＴＰＭパラメータの選択セル６２のドロップダウンメニューから選択される。現在選択されているＴＰＭセル６４は、現在選択されているＴＰＭパラメータ６２Ａを示す。現在選択されているＴＰＭ要件値６２Ｂは、好ましくは、ＴＰＭ要件確立モジュール５０で確立されたＴＰＭ要件の１つまたは複数である。現在選択されているＴＰＭ関連の単位６２Ｃは、ＴＰＭパラメータの選択セル６２内のドロップダウンメニューから選択された現在選択されているＴＰＭパラメータの単位である。現在選択されているＴＰＭマージンの方向６２Ｄは、現在選択されているＴＰＭのマージンが現在選択されているＴＰＭ要件値６２Ｂより高いか低いかを示す。現在選択されているＴＰＭマージンの方向６２Ｄは、デフォルトでは、マージンについてユーザによって正の値が入力されるか、負の値が入力されるかに基づいて、「要件より上」または「要件より下」のいずれかである。
【００２４】
マージンは、開発範囲フィールド６６内の特定の期間の間、増分的に追加されてもよい。マージン調整用の新しい間隔は、ユーザによって入力される開始日セル６６Ｃおよび終了日セル６６Ｅに従って、開発範囲フィールド６６内の挿入ボタン６６Ｂの１つをユーザが選択することによって作成される。ユーザは、ユーザがマージン調整の新しい間隔の値を入力することができる範囲の入力サブユーティリティ６６Ａを開くために、挿入ボタン６６Ｄの１つを選択することができる。上述したように、マージンは、正の値または負の値として入力され得る。非制限的な例として、ロケットエンジンプログラムの場合、応用例が一般に、重力を低減し推力を最大にすることであるため、重量などのＴＰＭパラメータは、一般に、負のマージンを適用させるのに対して、推力などのＴＰＭは、一般に、正のマージンを適用させる。後のために、前に決定されたプログラム開始日および終了日フィールド６８は、前に決定されたプログラム開始日６８Ａおよび前に決定された終了日６８Ｂを示す。
【００２５】
図８に示されるように、導入モジュール２のＴＰＭ管理ボタン１４によって、ＴＰＭパラメータ管理モジュール７０にアクセスすることができる。ＴＰＭパラメータ管理モジュール７０は、例えば毎月、ＴＰＭパラメータおよびＴＰＭ性能の詳細な管理および追跡を可能にする。ＴＰＭパラメータモジュール７０は、ユーザがＴＰＭパラメータ選択フィールド７２を完全にアクティブにすることを選択することができる編集の有効化ボタン７８を含む。注目のＴＰＭパラメータは、ドロップダウンメニューから、またはＴＰＭスキャンツール７１Ａを使用して選択され得る。スキャンオプションまたはドロップダウンメニューを使用することによって、月次報告期間が選択／識別される。これらはいずれも、報告期間ナビゲーションツール７１Ｂ下にある。セル７２Ａ〜７２Ｄは、編集不可であり、それぞれ、アクティブなＴＰＭパラメータ名、ＴＰＭ要件値、要件単位、およびマージンが追加された状態の要件値を提供する。
【００２６】
ＴＰＭパラメータモジュール７０は、ＴＰＭ性能ＡＴＤ（現時点までの実現）およびＣＥ（現在の推定）データのユーザ入力を可能にするＡＴＤセルグループ７２ＥおよびＣＥセルグループ７２Ｆを含む。ＡＴＤデータは、分析、試験検査、実証などによって測定され、計算され、推定された、今日までの技術的進捗を通じて実現された結果を表す値である。ＡＴＤセルグループ７２Ｅは、公称ＡＴＤおよびＡＴＤの下限およびＡＴＤの上限のユーザ入力を可能にする。下限および上限は、既知の問題に起因し得る潜在的な値や、まだ確実ではない、確認されていない、定量化されていない、完結されていない可能性がある影響力の大きい開発に基づく潜在的な値を表す不確定性である。図１１は、ＡＴＤ公称値２１２、ＡＴＤの上限２１０およびＡＴＤの下限２１４のグラフ描画を含むＴＰＭＭＤプログラムによって生成されるグラフの一例である。参照されている不確定性は、未知の原因による可能な傾向分析を説明しない可能性がある。というのは、この影響は、傾向分析によって説明され、対処され得るからである。ＣＥセルグループ７２Ｆは、公称ＣＥのユーザ入力の他に、現在の推定下限および現在の推定上限のユーザ入力も可能にする。ＣＥデータは、プログラムの完成時での、または将来のプログラムまたは製品マイルストーンでの、ＴＰＭパラメータについての予想される結果または期待される結果を表す。ＡＴＤ値は、ユーザ入力に基づいて月ごとに変わり、ＣＥデータは、編集可能ではあるが、プログラム全体にわたり、毎月の期間の間、同じ値を有する。
【００２７】
ＴＰＭパラメータモジュール７０は、ユーザによって選択されたとき、図９に示されるように、ＴＰＭ集計表モジュール８０にアクセスできるようにするＴＰＭ集計ボタン７６を含む。ＴＰＭパラメータモジュール７０は、ユーザによって選択されたとき、図１０に示されるように、ＴＰＭパラメータプロット管理モジュール９０のＴＰＭプロットフィールド９２にアクセスできるようにするプロットデータボタン７４を含む。ＴＰＭ集計表モジュール８０は、例えば月ごとに、所与の期間にわたって、プログラムについてのすべてのＴＰＭの包括的なビューを表示する。ＴＰＭパラメータおよび子の選択セル８２によって、ユーザは、その下流の親戚、または階層の中のより低い関連のＴＰＭパラメータのすべてとともに、ＴＰＭパラメータを選択することができる。非制限的な一例として、重量を選択することによって、燃焼装置重量、ターボ機械重量、ＬＯＸポンプ重量なども、集計テ―ブル表示フィールド８８に表示するために選択されることになる。特定のＴＰＭを許すＴＰＭ集計テーブルクエリユーティリティ８４は、関連のＷＢＳグループに基づいて検索する（例えば、ユーザは、適切なＷＢＳ選択を行うことによって、機械設計のみ、構造および力学のみに関連するＴＰＭパラメータの表示を要求することができる）。ユーザは、選択されたＷＢＳに基づいて、絞り込みＴＰＭクエリを実行するために、絞り込み検索ボタン８６を選択することができる。報告書のプレビューボタン８８ＡおよびＴＰＭ管理ボタン８８Ｂは、それぞれ、図１２の電子的ＴＰＭ集計報告書１００のユーザプレビュー、およびユーザがＴＰＭパラメータ管理モジュール７０に戻ることを可能にする。ＴＰＭ集計報告書１００は、１つまたは複数のＴＰＭについて、ＴＰＭパラメータ、ＴＰＭパラメータ要件、ＴＰＭ単位、ＴＰＭマージン、ＡＴＤ不確定性下限、ＡＴＤ不確定性上限、ＣＥ、ＣＥ下限やＣＥ上限を含み得る。色別のシステムが、リスク状態を反映し、図１４のリスク状態定義に基づいて、フィールド１０２Ｈ内のＡＴＤフィールド１０２ＥにおけるＴＰＭ値およびＴＰＭ ＣＥ値に必要なアクションを示す。
【００２８】
図１０は、ＴＰＭパラメータプロット管理モジュール９０を示す。ＴＰＭパラメータプロット管理モジュール９０は、ＴＰＭパラメータ管理モジュール７０と同一であり、選択されたＴＰＭの性能についてのプロットを含むＴＰＭプロットフィールド９２を含む。図１３は、汎用バージョンのＴＰＭプロットフィールド９２の例を示している。ＴＰＭプロットフィールド９２の例は、ＴＰＭパラメータ値目盛３１０、ＡＴＤトレンドライン３２０、時間線３３０、要件値３４０、開発マージンを有する要件３５０、ＡＴＤ公称値および不確定性値３６０、時間線目盛３７０、キープログラムマイルストーン３８０やＣＥ公称値および不確定性値３９０を含み得る。ＴＰＭパラメータ値目盛３１０は、図１３に示されるように、例えば、ポンド単位のシステム重量など、選択されたＴＰＭパラメータの値を含む軸である。ＡＴＤトレンドライン３２０は、ＴＰＭパラメータ３１０の描かれた点を時間線３３０に結ぶ。時間線３３０は、リスクレベルを示すために色などのインジケータも含み得る日付のインジケータを含む軸である。要件値３４０は、ＴＰＭ要件確立モジュール５０で確立され、入力されるＴＰＭ要件などの所定の値を含む。開発マージンを有する要件３５０は、例えば、マージンがマージンモジュール６０で確立されて、ＴＰＭ要件確立モジュール５０で確立され入力されるＴＰＭ要件を含む。ＡＴＤ公称値および不確定性３６０は、図１１に示されるように、ＡＴＤ公称値および不確定性、すなわちそれぞれ２１４，２１０，２１２に類似している。時間線目盛３７０。キープログラムマイルストーン３８０は、例えば、ＴＰＭ追跡チャートセットアップモジュール４０で確立されたキーマイルストーンである。ＣＥ公称値および不確定性値３９０は、例えば、ＴＰＭパラメータ管理モジュール７０で確立された公称ＣＥ、現在の推定下限、および現在の推定上限などである。
【００２９】
ＴＰＭＭＰおよびＴＰＭＭＤは、製品またはプログラムのＴＰＭのしばしば複雑な相関的なネットワークを捕捉し、示すことに関する、徹底した、統制のとれた手法を確保する。それぞれ、下位レベルのＴＰＭが上位レベルのＴＰＭにどのように流れるかを伝える明瞭な階層パスを確立する。ＴＰＭＭＤは、極めて柔軟性のあるユーザフレンドリーな形式を介して、そうでない場合には時間がかかる書類作成タスクをたやすく容易にする。データベース電子ビジネスツールは、ユーザが製品やプログラムのＴＰＭデータにアクセスし、それに貢献する共通の場所およびポータルも提供すると同時に、時間を節約し、報告チャートのばらつきをなくす。ＴＰＭＭＰおよびＴＰＭＭＤは、プログラムの発展にわたって、リスク管理に対する予防的な手法を講じる。
【００３０】
ＴＰＭＭＰおよびＴＰＭＭＤは、製品の開発サイクルやプログラムの寿命にわたって、有効なＴＰＭ管理、追跡、および報告を介して、製品要件が満たされることを確実にする。このＴＰＭ管理ツールセットの利益は、かなり広く、特定の部門または産業に限定されない。ＴＰＭＭＰおよびＴＰＭＭＤは、コストを節約し、ビジネスの効率性および生産性を向上させ得る。また、ＴＰＭ管理ツールセットは、巨大な範囲の産業消費者が、有効な技術的性能測定値管理を介して、リスクの軽減に対する予防的な手法を講じることができるようにする。
【００３１】
本開示は、１つまたは複数の実施形態例を参照して記載されているが、本発明の範囲から逸脱することなく、様々な変更が加えられてもよく、均等物がその要素の代わりに使用されてもよいことが、当業者には理解されるであろう。さらに、特定の状況または素材を、本発明の範囲から逸脱することなく、開示の教示に適合させるために、多くの変更が加えられ得る。したがって、本開示は、本発明を実行するために企図された最適な態様として開示された特定の実施形態に限定されるのではなく、本発明は、添付の特許請求の範囲内に含まれるすべての実施形態を含むものである。
【図面の簡単な説明】
【００３２】
【図１】技術的性能測定値管理プロセスを行うシステムおよび方法の概要図である。
【図２】技術的性能測定値管理プロセスを行うシステムおよび方法のユーザインタフェイスの導入モジュールを示すスクリーンショット例である。
【図３】技術的性能測定値管理プロセスを行うシステムおよび方法のユーザインタフェイスのメインメニューデータベーススイッチボードおよびチャートセットアップメニューデ―タベーススイッチボードを示すスクリーンショット例である。
【図４】技術的性能測定値管理プロセスを行うシステムおよび方法のユーザインタフェイスのＴＰＭパラメータツリー構築モジュールを示すスクリーンショット例である。
【図５】技術的性能測定値管理プロセスを行うシステムおよび方法のユーザインタフェイスのＴＰＭ追跡チャートセットアップモジュールを示すスクリーンショット例である。
【図６】技術的性能測定値管理プロセスを行うシステムおよび方法のユーザインタフェイスのＴＰＭ要件確立モジュールを示すスクリーンショット例である。
【図７】技術的性能測定値管理プロセスを行うシステムおよび方法のユーザインタフェイスのＴＰＭ開発マージン入力／編集モジュールを示すスクリーンショット例である。
【図８】技術的性能測定値管理プロセスを行うシステムおよび方法のユーザインタフェイスのＴＰＭパラメータ管理モジュールを示すスクリーンショット例である。
【図９】技術的性能測定値管理プロセスを行うシステムおよび方法のユーザインタフェイスのＴＰＭ集計表を示すスクリーンショット例である。
【図１０】技術的性能測定値管理プロセスを行うシステムおよび方法のユーザインタフェイスのＴＰＭパラメータプロット管理モジュールを示すスクリーンショット例である。
【図１１】定期的にステータスされるＴＰＭ要件に関する不確定性を含む現時点実現済み公称ＴＰＭ性能値のグラフの一例を示す詳細なスクリーンショット例であり、これらはすべて技術的性能測定値管理プロセスを行うシステムおよび方法によって生成される。
【図１２】技術的性能測定値管理プロセスを行うシステムおよび方法のユーザインタフェイスの電子ＴＰＭ集計表報告書を示すスクリーンショット例である。
【図１３】技術的性能測定値管理プロセスを行うシステムおよび方法のユーザインタフェイスの汎用バージョンのＴＰＭプロットフィールド例を示すスクリーンショット例である。
【図１４】要件に関するＴＰＭのリスクレベル定義の表を示すスクリーンショット例である。
【図１５】リスクウォータフォールチャートおよびリスクを査定するプロセスを示すスクリーンショット例である。
【図１６】図１の技術的性能測定値管理プロセスを行うシステムおよび方法の概要図である。
【図１】
2008084322.tif 000003
【図２】
2008084322.tif 000004
【図３】
2008084322.tif 000005
【図４】
2008084322.tif 000006
【図５】
2008084322.tif 000007
【図６】
2008084322.tif 000008
【図７】
2008084322.tif 000009
【図８】
2008084322.tif 000010
【図９】
2008084322.tif 000011
【図１０】
2008084322.tif 000012
【図１１】
2008084322.tif 000013
【図１２】
2008084322.tif 000014
【図１３】
2008084322.tif 000015
【図１４】
2008084322.tif 000016
【図１５】
2008084322.tif 000017
【図１６】
2008084322.tif 000018
【外国語明細書】
2008084322000001.pdf